(57)【要約】      （修正有）【解決手段】液体収納容器に空気取入れ用把手２２を設けることによって、抽出口内で液体抽出口２３と空気取入れ口２４を分離し、液体が抽出口から流出する際の脈動現象をなくすこと、また容器を持ち運ぶ際の把手としての役割を備えることが出来る空気取入れ用把手付き容器。【効果】液体の流出に伴って必要量の空気が空気取入れ用把手を通ってスムーズに容器内に取込まれるため、脈動現象が発生せず滑らかに液体を抽出することができ、空気取入れ用把手が、液体を抽出させる際に容器を傾けるための把手として役割を果すと同時に、容器を持ち運ぶ際の把手としても役割を果すことができ、従来の容器と比べて短時間で抽出することができる。【選択図】図６
0003113820.tif 000002
【実用新案登録請求の範囲】
【請求項１】
液体収納容器において、空気取入口（２４）および液体抽出口（２３）からなる抽出口に連通する空気取入れ用把手（２２）を容器本体（２１）に設けたことを特徴とする空気取入れ用把手付き容器。
【請求項２】
前記容器の空気取入れ用把手（２２）は、抽出口の突出部分と容器本体（２１）の境目付近から容器本体（２１）の外部に突き出し、把手型に屈曲して容器本体（２１）に接合していることを特徴とする請求項１記載の空気取入れ用把手付き容器。
【考案の詳細な説明】
【技術分野】
【０００１】
本考案は液体を収納する際に使用される容器に関する。
【背景技術】
【０００２】
従来の液体を収納する容器の抽出口の形状は、単穴になっており液体を抽出させる際、同時に取込まれる空気と錯綜するため、いわゆる脈動現象が起こっていた。また、容器によっては把手が付いていても、その把手は空気を取入れる機能が付加されていなかった。
【０００３】
容器を開栓後、空気取入れ用としてストロー状のものを抽出口内に取り付ける方法では、ストローに付着している雑菌等が収納されている液体内に混入する危険性があった。また液体を流出させる際にストロー状のものの準備が必要であるという不便があった。（例えば特許文献１、２参照）
【０００４】
容器本体内部に空気取入れ用のストロー状の中空経路を設けたものでは、容器を傾斜させて液体を抽出する際、容器内に設置された中空経路の位置が認識しずらいため、間違えて中空経路を下にした状態で液体を抽出しようとした場合には、脈動現象を防止するという目的を達することができなくなるという問題があった。（例えば特許文献３、４参照）
【０００５】
容器の抽出口内に中栓を装着させ、その中栓に空気取入れ機能を付加したものでは、液体を抽出させる際、流出する液体の圧力によってスムーズな空気の取入れができないという問題があった。（例えば特許文献５参照）
【特許文献１】特開２００５−０４１５７０号公報
【特許文献２】特開２００２−２４９１３８号公報
【特許文献３】特開２００４−２３８００２号公報
【特許文献４】特開２００２−３０２１２２号公報
【特許文献５】特開２００２−１９３２６８号公報
【考案の開示】
【考案が解決しようとする課題】
【０００６】
液体収納用の容器から液体を抽出する際、流出する液体と流入する空気が錯綜して、いわゆる脈動現象が発生するため、不必要なところに液体が飛散したり、抽出先の容器にうまく注ぎ入れることが難しいという問題を解決することにある。
【０００７】
上記の脈動現象を防止するため、開栓後に抽出口内にストロー状のものを取付ける方法では容器の内部に雑菌などが混入する危険性があったのでそれを防止することにある。またストロー状のものを準備する必要があるという問題を解決する。
【０００８】
容器の内部に中空経路状のものを設置する場合は、その設置位置が外部から認識しずらいため、間違えて中空経路を下にした状態で液体を抽出させた場合、脈動現象が生じてしまうという問題を解決する。また容器を持ち運ぶ際の把手が付加されていない場合、容器の運搬に不便があったという問題を解決する。
【０００９】
容器の抽出口内に中栓を装着させ、その中栓に空気取入れ機能を付加させる方法では、液体を流出させる際、流出する液体の圧力によってスムーズな空気の取入れができないという問題を解決する。
【課題を解決するための手段】
【００１０】
液体収納容器において、空気取入れ口および液体抽出口からなる抽出口に連通する空気取入れ用把手を容器本体に設けたことを特徴とする空気取入れ用把手付き容器を提供する。
【００１１】
前記容器の空気取入れ用把手は、抽出口の突出部分と容器本体の境目付近から容器本体の外部に突き出し、把手型に屈曲して容器本体に接合している。
【００１２】
なお、本考案における容器とは液体収納用に日常用いられている合成樹脂で作られている。
【考案の効果】
【００１３】
本考案によれば容器内部の液体を抽出させる場合に、流出する液体と容器の中に取り込まれる空気が別経路になっているため互いに錯綜せず、液体の流出に伴って必要量の空気が空気取入れ用把手を通ってスムーズに容器内に取込まれるため、脈動現象が発生せず滑らかに液体を抽出することができる。
【００１４】
また本考案によれば空気取入れ用把手が、液体を抽出させる際に容器を傾けるための把手として役割を果すと同時に、容器を持ち運ぶ際の把手としても役割を果すことができる。
【００１５】
さらに本考案によれば容器の抽出口を下に向け、一気に内部の液体を抽出させる場合に従来の容器と比べて短時間で抽出することができる。
【考案を実施するための最良の形態】
【００１６】
図１〜図４は本考案の実施の形態となる第１の実施例に係り、２リットル型のペットボトルの例を示している。図１はその概観図、図２はその縦断面図、図３は抽出口正面図、図４は抽出口の正面拡大図である。
【００１７】
図５〜図７は本考案の実施の形態となる第２の実施例に係り、１８リットル型ポリ容器の例を示している。図５はその概観図、図６はその縦断面図、図７は抽出口正面図を示している。
【００１８】
図１および図５に示すように、空気取入れ用把手２２は抽出口の先端を起点に、抽出口の突出部分の内部を通り、その後抽出口と容器本体２１の境目付近から容器本体２１の外部に突き出し、把手型に屈曲して容器本体２１に接合された形態を成す。
【００１９】
空気取入れ用把手２２の容器本体２１側の接合点は、液体が入った容器本体２１の抽出口を上にした状態から４５度程度傾斜させた際に容器内を移動する空気層の最上部付近が最も合理的である。
【００２０】
空気取入れ用把手２２の内径については、例えば図１に示した２リットル型ペットボトルの場合は、直径１０ミリメートル程度で十分であるが、把手としての機能性と容器本体２１のデザイン性を鑑みてそれ以上の太さを有することもある。またその横断面の形状は丸型でも角型でもよい。なお図中２７はキャップを示している。
【００２１】
抽出口内にある空気取入れ口２４と液体抽出口２３の開口面積比率は図４や図７に示す通り、空気取入れ口２４が１に対して液体の抽出口２３が３程度の割合で設定されることが適正である。
【００２２】
空気取入れ用把手２２は容器本体２１と同質の材料で一体成型されていることが適正である。
【図面の簡単な説明】
【００２３】
【図１】本考案の実施の形態となる第１の実施例に係り、２リットル型のペットボトルを例にした空気取入れ用把手付き容器の概観図である。
【図２】図１の縦断面図である。
【図３】図１の正面図である。
【図４】図１の抽出口の正面拡大図である。
【図５】本考案の実施の形態となる第２の実施例に係り、１８リットル型のポリ容器を例にした空気取入れ用把手付き容器の概観図である。
【図６】図５の縦断面図である。
【図７】図５の抽出口正面図である。
【符号の説明】
【００２４】
２１      容器本体
２２      空気取れ用把手
２３      液体抽出口
２４      空気取入れ口
２５      空気層
２６      液体
２７      キャップ
【図１】
0003113820.tif 000003
【図２】
0003113820.tif 000004
【図３】
0003113820.tif 000005
【図４】
0003113820.tif 000006
【図５】
0003113820.tif 000007
【図６】
0003113820.tif 000008
【図７】
0003113820.tif 000009